(57)【特許請求の範囲】
【請求項１】
第１の機能群に含まれる複数の機能が起動可能な第１の動作モード、及び第２の機能群に含まれる複数の機能が起動可能な第２の動作モードの内のいずれかに設定可能な電子機器であって、
前記第１の機能群に含まれる複数の機能と音声認識時に参照される当該機能の読み仮名とがそれぞれ対応付けられた第１の音声認識辞書、及び前記第２の機能群に含まれる複数の機能と音声認識時に参照される当該機能の読み仮名とがそれぞれ対応付けられた第２の音声認識辞書を記憶する記憶部と、
前記第１の動作モードに設定されている場合には前記第１の音声認識辞書を参照して音声認識を行い、一方で前記第２の動作モードに設定されている場合には前記第２の音声認識辞書を参照して音声認識を行う音声認識部と、
前記第１の音声認識辞書又は前記第２の音声認識辞書におけるいずれかの読み仮名が変更されると、当該変更に従って読み仮名を更新する更新部と、を備え、
前記更新部は、前記第１の音声認識辞書又は前記第２の音声認識辞書の内、一方の音声認識辞書の所定の機能に対応付けられた読み仮名が変更された際に、他方の音声認識辞書においても前記所定の機能に対応付けられた読み仮名が存在する場合、前記一方の音声認識辞書の読み仮名と同じく前記他方の音声認識辞書の読み仮名も更新する電子機器。
【請求項２】
第１の機能群に含まれる複数の機能が起動可能な第１の動作モード、及び第２の機能群に含まれる複数の機能が起動可能な第２の動作モードの内のいずれかに設定可能な電子機器であって、
前記第１の機能群に含まれる複数の機能と音声認識時に参照される当該機能の読み仮名とがそれぞれ対応付けられた第１の音声認識辞書、及び前記第２の機能群に含まれる複数の機能と音声認識時に参照される当該機能の読み仮名とがそれぞれ対応付けられた第２の音声認識辞書を記憶する記憶部と、
前記第１の動作モードに設定されている場合には前記第１の音声認識辞書を参照して音声認識を行い、一方で前記第２の動作モードに設定されている場合には前記第２の音声認識辞書を参照して音声認識を行う音声認識部と、
表示部と、
前記第１の音声認識辞書又は前記第２の音声認識辞書におけるいずれかの読み仮名が変更されると、当該変更に従って読み仮名を更新する更新部と、を備え、
前記更新部は、前記変更された読み仮名と同一の読み仮名が、当該読み仮名が変更された一方の音声認識辞書に存在しないが他方の音声認識辞書に存在する場合、当該他方の音声認識辞書を参照する動作モード、及び前記同一の読み仮名に対応付けられた機能を表示させる電子機器。
【請求項３】
前記更新部は、前記読み仮名が変更された音声認識辞書と同一の音声認識辞書において、前記変更された読み仮名と同一の読み仮名が存在する場合、前記変更に従って読み仮名の更新を行わない請求項１又は２に記載の電子機器。
【請求項４】
前記更新部は、前記第１の音声認識辞書又は前記第２の音声認識辞書の内、一方の音声認識辞書の所定の機能に対応付けられた読み仮名が変更された際に、他方の音声認識辞書においても前記所定の機能に対応付けられた読み仮名が存在する場合、前記一方の音声認識辞書の読み仮名と同じく前記他方の音声認識辞書の読み仮名も更新する請求項２に記載の電子機器。
【請求項５】
前記更新部は、前記一方の音声認識辞書を参照する動作モードから前記他方の音声認識辞書を参照する動作モードに切り替えられたとき、前記他方の音声認識辞書を更新する請求項４に記載の電子機器。
【請求項６】
表示部をさらに備え、
前記更新部は、前記変更された読み仮名と同一の読み仮名が、当該読み仮名が変更された一方の音声認識辞書に存在しないが他方の音声認識辞書に存在する場合、当該他方の音声認識辞書を参照する動作モード、及び前記同一の読み仮名に対応付けられた機能を表示させる請求項１に記載の電子機器。
【請求項７】
前記更新部は、前記他方の音声認識辞書において、前記変更された読み仮名が前記一方の音声認識辞書とは異なる機能に対応付けられている場合に報知し、前記変更された読み仮名が前記一方の音声認識辞書と同一の機能に対応付けられている場合には報知しない請求項６に記載の電子機器。
【請求項８】
第１の機能群に含まれる複数の機能が起動可能な第１の動作モード、及び第２の機能群に含まれる複数の機能が起動可能な第２の動作モードの内のいずれかに設定可能な電子機器の制御方法であって、
前記電子機器は、前記第１の機能群に含まれる複数の機能と音声認識時に参照される当該機能の読み仮名とがそれぞれ対応付けられた第１の音声認識辞書、及び前記第２の機能群に含まれる複数の機能と音声認識時に参照される当該機能の読み仮名とがそれぞれ対応付けられた第２の音声認識辞書を記憶し、
前記第１の動作モードに設定されている場合には前記第１の音声認識辞書を参照して音声認識を行い、一方で前記第２の動作モードに設定されている場合には前記第２の音声認識辞書を参照して音声認識を行い、
前記第１の音声認識辞書又は前記第２の音声認識辞書の内、一方の音声認識辞書の所定の機能に対応付けられた読み仮名が変更された際に、他方の音声認識辞書においても前記所定の機能に対応付けられた読み仮名が存在する場合、前記一方の音声認識辞書の読み仮名と同じく前記他方の音声認識辞書の読み仮名も更新する制御方法。
【請求項９】
第１の機能群に含まれる複数の機能が起動可能な第１の動作モード、及び第２の機能群に含まれる複数の機能が起動可能な第２の動作モードの内のいずれかに設定可能な電子機器の制御方法であって、
前記電子機器は、前記第１の機能群に含まれる複数の機能と音声認識時に参照される当該機能の読み仮名とがそれぞれ対応付けられた第１の音声認識辞書、及び前記第２の機能群に含まれる複数の機能と音声認識時に参照される当該機能の読み仮名とがそれぞれ対応付けられた第２の音声認識辞書を記憶し、
前記第１の動作モードに設定されている場合には前記第１の音声認識辞書を参照して音声認識を行い、一方で前記第２の動作モードに設定されている場合には前記第２の音声認識辞書を参照して音声認識を行い、
前記第１の音声認識辞書又は前記第２の音声認識辞書におけるいずれかの読み仮名が変更されると、前記変更された読み仮名と同一の読み仮名が、当該読み仮名が変更された一方の音声認識辞書に存在しないが他方の音声認識辞書に存在する場合、当該他方の音声認識辞書を参照する動作モード、及び前記同一の読み仮名に対応付けられた機能を表示させる制御方法。
【請求項１０】
第１の機能群に含まれる複数の機能が起動可能な第１の動作モード、及び第２の機能群に含まれる複数の機能が起動可能な第２の動作モードの内のいずれかに設定可能な電子機器であって、
前記第１の機能群に含まれる複数の機能と音声認識時に参照される当該機能の読み仮名とがそれぞれ対応付けられた第１の音声認識辞書、及び前記第２の機能群に含まれる複数の機能と音声認識時に参照される当該機能の読み仮名とがそれぞれ対応付けられた第２の音声認識辞書を記憶する記憶部と、
前記第１の動作モードに設定されている場合には前記第１の音声認識辞書を参照して音声認識を行い、一方で前記第２の動作モードに設定されている場合には前記第２の音声認識辞書を参照して音声認識を行う音声認識部と、
表示部と、
前記第１の音声認識辞書又は前記第２の音声認識辞書におけるいずれかの読み仮名が変更されると、当該変更に従って読み仮名を更新する更新部と、を備え、
前記更新部は、前記変更された読み仮名と同一の読み仮名が、前記第１の音声認識辞書又は前記第２の音声認識辞書のいずれかに存在する場合、当該同一の読み仮名に対応付けられた機能を前記表示部に表示させる電子機器。
【請求項１１】
前記更新部は、前記変更された読み仮名と同一の読み仮名が、当該読み仮名が変更された一方の音声認識辞書に存在する場合、当該同一の読み仮名に対応付けられた機能を前記表示部に表示させる請求項１０に記載の電子機器。
【請求項１２】
前記更新部は、前記同一の読み仮名に対応付けられた機能を前記表示部に表示させる際に、当該同一の読み仮名が存在する音声認識辞書を参照する動作モードも前記表示部に表示させる請求項１０又は１１に記載の電子機器。
【発明の詳細な説明】
【技術分野】
【０００１】
本発明は、音声認識機能を有する電子機器及びその制御方法に関する。
【背景技術】
【０００２】
従来、携帯電話機やナビゲーション装置等の電子機器において、音声認識により所定の処理を実行させる機能が搭載されている。例えば、電子機器のユーザは、選択操作をすることなく、音声によりメール機能の呼び出しやアドレス帳からの選択等の指示を行うことができる。
【０００３】
このような電子機器は、音声認識の結果と照合させる認識辞書を備える。しかしながら、認識辞書を変更しなければならない状況も生じうる。特許文献１においては、携帯型の電子機器に対して音声認識サービスを実現する上で用いられる、分散処理型の音声認識サーバにおける認識辞書の更新処理について記載されており、特に複数の音声認識処理部を保有する場合の認識辞書更新の効率の向上を図ることが提案されている。
【０００４】
また、電子機器において、通常の動作モードとは別に、実行可能な機能を限定して操作を簡略化した特定の動作モードが設けられている場合がある。この特定の動作モードの場合、音声認識機能により、さらに利便性を向上させることができる。
【先行技術文献】
【特許文献】
【０００５】
【特許文献１】特開２００８−１５２０９号公報
【発明の概要】
【発明が解決しようとする課題】
【０００６】
ところで、特許文献１にも記載されているように、認識辞書の更新には大きな処理負荷を必要としている。一方で、音声認識処理の機能ブロック自体がコンパクト化され、携帯型の電子機器そのものに搭載されるようになりつつある。当然ながら携帯型の電子機器は、サーバに比べて処理能力が低いため、わずかな認識辞書の更新であっても更新処理が生じると、その処理に大きく時間がかかってしまう。その結果、ユーザの操作に対する応答が遅くなってしまうという不都合が生じてしまう。
【０００７】
したがって、音声認識処理は、特定の動作モードにおいて実行可能な限定的な機能にのみ対応させ、認識辞書のサイズ及び音声認識に関する各種処理負荷の低減が図られている。すると、通常の動作モードにおいては、音声認識の利便性が得られない。また、認識辞書を拡大して通常の動作モードにも対応させると、機能数の増加や、機能に対するモード毎の読み仮名（機能名）の増加に伴って音声認識による操作性が低下する。
【０００８】
そこで本発明は、複数の動作モードのいずれかに設定可能な場合に、各動作モードにおいて音声認識による操作性を向上させる電子機器及びその制御方法を提供することを目的とする。
【課題を解決するための手段】
【０００９】
本発明に係る電子機器は、第１の機能群に含まれる複数の機能が起動可能な第１の動作モード、及び第２の機能群に含まれる複数の機能が起動可能な第２の動作モードの内のいずれかに設定可能な電子機器であって、前記第１の機能群に含まれる複数の機能と音声認識時に参照される当該機能の読み仮名とがそれぞれ対応付けられた第１の音声認識辞書、及び前記第２の機能群に含まれる複数の機能と音声認識時に参照される当該機能の読み仮名とがそれぞれ対応付けられた第２の音声認識辞書を記憶する記憶部と、前記第１の動作モードに設定されている場合には前記第１の音声認識辞書を参照して音声認識を行い、一方で前記第２の動作モードに設定されている場合には前記第２の音声認識辞書を参照して音声認識を行う音声認識部と、前記第１の音声認識辞書又は前記第２の音声認識辞書におけるいずれかの読み仮名が変更されると、当該変更に従って読み仮名を更新する更新部と、を備え、前記更新部は、前記第１の音声認識辞書又は前記第２の音声認識辞書の内、一方の音声認識辞書の所定の機能に対応付けられた読み仮名が変更された際に、他方の音声認識辞書においても前記所定の機能に対応付けられた読み仮名が存在する場合、前記一方の音声認識辞書の読み仮名と同じく前記他方の音声認識辞書の読み仮名も更新する。
【００１０】
本発明に係る電子機器は、第１の機能群に含まれる複数の機能が起動可能な第１の動作モード、及び第２の機能群に含まれる複数の機能が起動可能な第２の動作モードの内のいずれかに設定可能な電子機器であって、前記第１の機能群に含まれる複数の機能と音声認識時に参照される当該機能の読み仮名とがそれぞれ対応付けられた第１の音声認識辞書、及び前記第２の機能群に含まれる複数の機能と音声認識時に参照される当該機能の読み仮名とがそれぞれ対応付けられた第２の音声認識辞書を記憶する記憶部と、前記第１の動作モードに設定されている場合には前記第１の音声認識辞書を参照して音声認識を行い、一方で前記第２の動作モードに設定されている場合には前記第２の音声認識辞書を参照して音声認識を行う音声認識部と、表示部と、前記第１の音声認識辞書又は前記第２の音声認識辞書におけるいずれかの読み仮名が変更されると、当該変更に従って読み仮名を更新する更新部と、を備え、前記更新部は、前記変更された読み仮名と同一の読み仮名が、当該読み仮名が変更された一方の音声認識辞書に存在しないが他方の音声認識辞書に存在する場合、当該他方の音声認識辞書を参照する動作モード、及び前記同一の読み仮名に対応付けられた機能を表示させる。
【００１１】
前記更新部は、前記読み仮名が変更された音声認識辞書と同一の音声認識辞書において、前記変更された読み仮名と同一の読み仮名が存在する場合、前記変更に従って読み仮名の更新を行わなくてもよい。
前記更新部は、前記第１の音声認識辞書又は前記第２の音声認識辞書の内、一方の音声認識辞書の所定の機能に対応付けられた読み仮名が変更された際に、他方の音声認識辞書においても前記所定の機能に対応付けられた読み仮名が存在する場合、前記一方の音声認識辞書の読み仮名と同じく前記他方の音声認識辞書の読み仮名も更新してもよい。
前記更新部は、前記一方の音声認識辞書を参照する動作モードから前記他方の音声認識辞書を参照する動作モードに切り替えられたとき、前記他方の音声認識辞書を更新してもよい。
【００１２】
前記電子機器は、表示部をさらに備え、前記更新部は、前記変更された読み仮名と同一の読み仮名が、当該読み仮名が変更された一方の音声認識辞書に存在しないが他方の音声認識辞書に存在する場合、当該他方の音声認識辞書を参照する動作モード、及び前記同一の読み仮名に対応付けられた機能を表示させてもよい。
前記更新部は、前記他方の音声認識辞書において、前記変更された読み仮名が前記一方の音声認識辞書とは異なる機能に対応付けられている場合に報知し、前記変更された読み仮名が前記一方の音声認識辞書と同一の機能に対応付けられている場合には報知しなくてもよい。
【００１３】
本発明に係る制御方法は、第１の機能群に含まれる複数の機能が起動可能な第１の動作モード、及び第２の機能群に含まれる複数の機能が起動可能な第２の動作モードの内のいずれかに設定可能な電子機器の制御方法であって、前記電子機器は、前記第１の機能群に含まれる複数の機能と音声認識時に参照される当該機能の読み仮名とがそれぞれ対応付けられた第１の音声認識辞書、及び前記第２の機能群に含まれる複数の機能と音声認識時に参照される当該機能の読み仮名とがそれぞれ対応付けられた第２の音声認識辞書を記憶し、前記第１の動作モードに設定されている場合には前記第１の音声認識辞書を参照して音声認識を行い、一方で前記第２の動作モードに設定されている場合には前記第２の音声認識辞書を参照して音声認識を行い、前記第１の音声認識辞書又は前記第２の音声認識辞書の内、一方の音声認識辞書の所定の機能に対応付けられた読み仮名が変更された際に、他方の音声認識辞書においても前記所定の機能に対応付けられた読み仮名が存在する場合、前記一方の音声認識辞書の読み仮名と同じく前記他方の音声認識辞書の読み仮名も更新する。
【００１４】
本発明に係る制御方法は、第１の機能群に含まれる複数の機能が起動可能な第１の動作モード、及び第２の機能群に含まれる複数の機能が起動可能な第２の動作モードの内のいずれかに設定可能な電子機器の制御方法であって、前記電子機器は、前記第１の機能群に含まれる複数の機能と音声認識時に参照される当該機能の読み仮名とがそれぞれ対応付けられた第１の音声認識辞書、及び前記第２の機能群に含まれる複数の機能と音声認識時に参照される当該機能の読み仮名とがそれぞれ対応付けられた第２の音声認識辞書を記憶し、前記第１の動作モードに設定されている場合には前記第１の音声認識辞書を参照して音声認識を行い、一方で前記第２の動作モードに設定されている場合には前記第２の音声認識辞書を参照して音声認識を行い、前記第１の音声認識辞書又は前記第２の音声認識辞書におけるいずれかの読み仮名が変更されると、前記変更された読み仮名と同一の読み仮名が、当該読み仮名が変更された一方の音声認識辞書に存在しないが他方の音声認識辞書に存在する場合、当該他方の音声認識辞書を参照する動作モード、及び前記同一の読み仮名に対応付けられた機能を表示させる。
【００１５】
本発明に係る電子機器は、第１の機能群に含まれる複数の機能が起動可能な第１の動作モード、及び第２の機能群に含まれる複数の機能が起動可能な第２の動作モードの内のいずれかに設定可能な電子機器であって、前記第１の機能群に含まれる複数の機能と音声認識時に参照される当該機能の読み仮名とがそれぞれ対応付けられた第１の音声認識辞書、及び前記第２の機能群に含まれる複数の機能と音声認識時に参照される当該機能の読み仮名とがそれぞれ対応付けられた第２の音声認識辞書を記憶する記憶部と、前記第１の動作モードに設定されている場合には前記第１の音声認識辞書を参照して音声認識を行い、一方で前記第２の動作モードに設定されている場合には前記第２の音声認識辞書を参照して音声認識を行う音声認識部と、表示部と、前記第１の音声認識辞書又は前記第２の音声認識辞書におけるいずれかの読み仮名が変更されると、当該変更に従って読み仮名を更新する更新部と、を備え、前記更新部は、前記変更された読み仮名と同一の読み仮名が、前記第１の音声認識辞書又は前記第２の音声認識辞書のいずれかに存在する場合、当該同一の読み仮名に対応付けられた機能を前記表示部に表示させる。
前記更新部は、前記変更された読み仮名と同一の読み仮名が、当該読み仮名が変更された一方の音声認識辞書に存在する場合、当該同一の読み仮名に対応付けられた機能を前記表示部に表示させてもよい。
前記更新部は、前記同一の読み仮名に対応付けられた機能を前記表示部に表示させる際に、当該同一の読み仮名が存在する音声認識辞書を参照する動作モードも前記表示部に表示させてもよい。
【発明の効果】
【００１６】
本発明によれば、電子機器が複数の動作モードのいずれかに設定可能な場合に、各動作モードにおいて音声認識による操作性を向上させることができる。
【図面の簡単な説明】
【００１７】
【図１】本発明の実施形態に係る携帯電話機の外観斜視図である。
【図２】本発明の実施形態に係る携帯電話機の機能を示すブロック図である。
【図３】本発明の実施形態に係る音声認識辞書及び読み仮名の更新例を示す図である。
【図４】本発明の実施形態に係る複数の音声認識辞書のデータ例を示す図である。
【図５】本発明の実施形態に係る警告画面の表示例を示す図である。
【図６】本発明の実施形態に係る音声認識機能の起動時の処理を示すフローチャートである。
【図７】本発明の実施形態に係る音声認識辞書の編集処理を示すフローチャートである。
【発明を実施するための形態】
【００１８】
以下、本発明の好適な実施形態の一例について説明する。なお、本実施形態では、電子機器の一例として、通常モード（第１の動作モード）と、かんたんモード（第２の動作モード）との２つの動作モードの内、いずれかに設定可能な携帯電話機１を説明する。
【００１９】
図１は、本実施形態に係る携帯電話機１の外観斜視図である。
なお、図１は、いわゆる折り畳み型の携帯電話機の形態を示しているが、本発明に係る携帯電話機の形態はこれに限られない。例えば、両筐体を重ね合わせた状態から一方の筐体を一方向にスライドさせるようにしたスライド式や、重ね合せ方向に沿う軸線を中心に一方の筐体を回転させるようにした回転式（ターンタイプ）や、操作部と表示部とが１つの筐体に配置され、連結部を有さない形式（ストレートタイプ）でもよい。
【００２０】
携帯電話機１は、操作部側筐体２と、表示部側筐体３と、を備えて構成される。操作部側筐体２は、表面部１０に、操作部１１と、携帯電話機１の使用者が通話時や音声認識アプリケーションを利用時に発した音声が入力されるマイク１２と、を備えて構成される。操作部１１は、各種設定機能や電話帳機能やメール機能等の各種機能を作動させるための機能設定操作ボタン１３と、電話番号の数字やメールの文字等を入力するための入力操作ボタン１４と、各種操作における決定やスクロール等を行う決定操作ボタン１５と、から構成されている。
【００２１】
また、表示部側筐体３は、表面部２０に、各種情報を表示するための表示部２１と、通話の相手側の音声を出力するレシーバ２２と、を備えて構成されている。
【００２２】
また、操作部側筐体２の上端部と表示部側筐体３の下端部とは、ヒンジ機構４を介して連結されている。また、携帯電話機１は、ヒンジ機構４を介して連結された操作部側筐体２と表示部側筐体３とを相対的に回転することにより、操作部側筐体２と表示部側筐体３とが互いに開いた状態（開状態）にしたり、操作部側筐体２と表示部側筐体３とを折り畳んだ状態（閉状態）にしたりできる。
【００２３】
図２は、本実施形態に係る携帯電話機１の機能を示すブロック図である。
携帯電話機１は、操作部１１と、表示部２１と、制御部３０と、通信部４０と、モード判定部５０と、音声認識部６０と、記憶部７０と、辞書更新部８０とを備える。
【００２４】
制御部３０は、携帯電話機１の全体を制御しており、例えば、表示部２１、通信部４０等の各部に対して所定の制御を行う。また、制御部３０は、操作部１１や通信部４０等から入力を受け付けて、各種処理を実行する。そして、制御部３０は、処理実行の際には、記憶部７０を制御し、各種プログラム及びデータの読み出し、及びデータの書き込みを行う。
【００２５】
通信部４０は、所定の使用周波数帯（例えば、２ＧＨｚ帯や８００ＭＨｚ帯等）で外部装置（基地局）と通信を行う。通信部４０は、アンテナ４１より受信した信号を復調処理し、処理後の信号を制御部３０に供給する。また、制御部３０から供給された信号を変調処理し、アンテナ４１を介して外部装置に送信する。
【００２６】
モード判定部５０は、音声認識機能の起動時において、携帯電話機１が通常モード又はかんたんモードの内、いずれに設定されて動作中であるかを判定する。
【００２７】
音声認識部６０は、制御部３０からの指令に基づいて、マイク１２から入力された信号の音声認識処理を実行し、処理結果（音声をテキスト化したテキスト情報）を制御部３０へ提供する。このとき、音声認識部６０は、モード判定部５０により通常モードに設定されていると判定された場合、記憶部７０の通常辞書データ７１（第１の音声認識辞書）を参照する。一方、かんたんモードに設定されていると判定された場合、音声認識部６０は、記憶部７０のかんたん辞書データ７２（第２の音声認識辞書）を参照する。
【００２８】
記憶部７０は、本実施形態に係る各種プログラムを記憶し、また、制御部３０による演算処理に利用される。さらに、記憶部７０は、通常モードにおいて起動可能な機能群（第１の機能群）に含まれる複数の機能と音声認識時に参照されるこの機能の読み仮名とがそれぞれ対応付けられた通常辞書データ７１と、かんたんモードにおいて起動可能な機能群（第２の機能群）に含まれる複数の機能と音声認識時に参照されるこの機能の読み仮名とがそれぞれ対応付けられたかんたん辞書データ７２とを記憶している。
【００２９】
なお、音声認識辞書は、音声認識の結果として得られるテキスト情報と照合する読み仮名の選択肢を含むデータである。この読み仮名のそれぞれは、各動作モードにおいて起動可能な機能と対応付けられており、選択肢の中に音声認識の結果と同一の読み仮名があった場合に、対応付けられている機能が制御部３０により実行される。
【００３０】
辞書更新部８０は、操作部１１等から、通常辞書データ７１又はかんたん辞書データ７２におけるいずれかの読み仮名が変更される編集入力を受け付け、この変更に従って読み仮名を更新する。
【００３１】
図３は、本実施形態に係る音声認識辞書及び読み仮名の更新例を示す図である。
図３（ａ）に示すように、音声認識辞書（通常辞書データ７１又はかんたん辞書データ７２）では、各動作モードにおいて起動可能な機能の識別データ（機能ＩＤ）と読み仮名とが対応付けられている。例えば、１行目（Ｎｏ＝０）では、「カメラを使う」機能を示す「機能ＩＤ＝０」と、読み仮名「カメラ」とが対応付けられている。
【００３２】
音声認識辞書の読み仮名は、ユーザにより別のテキストに変更可能である。例えば、辞書更新部８０は、図３（ｂ）に示すように、「カメラ」を「シャシン」に変更する編集入力を受け付けると、「機能ＩＤ＝０」に対応付けられている読み仮名を「シャシン」に更新する。
【００３３】
ただし、辞書更新部８０は、このように変更された読み仮名と同一の読み仮名が、同一の音声認識辞書内に存在する場合、警告を報知すると共に、変更に従った読み仮名の更新を行わない。具体的には、辞書更新部８０は、表示部２１において、辞書データの種類及び対象の機能を表示させて、更新できない旨をユーザへ報知する。
【００３４】
また、通常辞書データ７１とかんたん辞書データ７２とでは、重複する機能も存在しているため、同一の機能ＩＤに対して、それぞれ異なる読み仮名が対応付けられている場合もある。
【００３５】
図４は、本実施形態に係る複数の音声認識辞書のデータ例を示す図である。
通常辞書データ７１には、２００件の機能ＩＤに対して、それぞれ読み仮名が対応付けられている。これに対し、かんたん辞書データ７２には、５０件の機能ＩＤに対して、それぞれ読み仮名が対応付けられている。この例では、機能ＩＤの０〜４９は、双方の辞書データで共通しているが、読み仮名は必ずしも一致していない。例えば、機能ＩＤ＝１に対して、通常辞書データ７１では、「カメラメニュー」が対応付けられているが、かんたん辞書データ７２では、「カメラヲツカウ」が対応付けられている。
【００３６】
ここで、かんたん辞書データ７２において、機能ＩＤ＝０の読み仮名が「カメラ」から「シャシン」へ更新された場合、通常辞書データ７１と読み仮名が異なってしまう。同一の機能であることから、読み仮名も同一としたい場合、ユーザは、辞書データの自動更新機能を有効にすることができる。
【００３７】
すなわち、辞書更新部８０は、通常辞書データ７１又はかんたん辞書データ７２の内、一方の辞書データの読み仮名が更新された場合、所定のタイミングで、他方の辞書データにおける同一機能の読み仮名を、一方の辞書データの読み仮名と同じく更新する。
【００３８】
ここで、所定のタイミングとは、携帯電話機１の処理負荷が低いアイドル状態となったときや、動作モードが変更されたとき、あるいは、他方の辞書データが参照されたとき、すなわち動作モードが変更されて音声認識機能が起動されたとき等である。
【００３９】
辞書更新部８０は、一方の辞書データ（例えば、かんたん辞書データ７２）を更新した場合、この更新した機能及び読み仮名の対応付けデータを記憶する。そして、辞書更新部８０は、他方の辞書データ（例えば、通常辞書データ７１）を参照する動作モード（例えば、通常モード）が起動されたとき、この記憶されている対応付けデータに基づいて、他方の辞書データ（例えば、通常辞書データ７１）を更新する。なお、対応付けデータは、更新データとして辞書データとは別に記憶してもよいし、いずれかの辞書データの対象レコードに更新フラグを付加することにより記憶してもよい。
【００４０】
このように辞書データの自動更新を行う場合、辞書更新部８０は、変更された読み仮名がいずれの辞書データにおいても重複しないように制御する必要がある。そこで、辞書更新部８０は、変更された読み仮名が編集対象である一方の辞書データ（例えば、かんたん辞書データ７２）内に存在しないが、他方の辞書データ（例えば、通常辞書データ７１）内に存在する場合、この他方の辞書データを参照する動作モード（例えば、通常モード）、及び変更された読み仮名に対応付けられている機能名を表示部２１に表示させて警告を報知する。
【００４１】
ただし、辞書更新部８０は、変更された読み仮名が他方の辞書データ（例えば、通常辞書データ７１）において、一方の辞書データ（例えば、かんたん辞書データ７２）とは異なる機能ＩＤに対応付けられている場合に警告を報知し、一方の辞書データと同一の機能ＩＤに対応付けられている場合は警告を報知しない。
【００４２】
図５は、本実施形態に係る警告画面の表示例を示す図である。
この例では、かんたんモードにおいて、機能「カメラを使う」（ａ）に対応する読み仮名「カメラ」（ｂ）を「シャシン」と変更する編集入力を受け付けている（ｃ）。
【００４３】
編集入力が終了（ＯＫボタン押下）し、確認画面（ｄ）において更新処理が実行されると（登録ボタン押下）、警告画面が表示される（ｅ）。この場合、かんたん辞書データ７２内には、読み仮名が「シャシン」の別機能は存在しないが、通常辞書データ７１内に、読み仮名が「シャシン」となっている機能「ピクチャーフォルダ」が存在している。したがって、辞書データの種類として「通常」と、機能名として「ピクチャーフォルダ」とが表示される。その後、辞書更新部８０は、操作部１１からキー入力を受け付けた、又はタイムアウトしたことに応じて、確認画面（ｆ）に遷移させ、読み仮名の再編集を促す。
【００４４】
図６は、本実施形態に係る音声認識機能の起動時の処理を示すフローチャートである。
ステップＳ１において、モード判定部５０は、携帯電話機１の動作モードが簡単モードであるか否（通常モード）かを判定する。制御部３０は、この判定がＹＥＳの場合、処理をステップＳ３に移し、判定がＮＯの場合、処理をステップＳ２に移す。
【００４５】
ステップＳ２において、音声認識部６０は、通常モードにおいて起動可能な機能群に対応している通常辞書データ７１を記憶部７０から読み込む。
【００４６】
ステップＳ３において、音声認識部６０は、かんたんモードにおいて起動可能な機能群に対応しているかんたん辞書データ７２を記憶部７０から読み込む。
【００４７】
ステップＳ４において、辞書更新部８０は、読み込んだ辞書データを他方の辞書データと同期させるために、他方の辞書データで更新されたが読み込んだ辞書データでは未更新の読み仮名を更新する。
【００４８】
図７は、本実施形態に係る音声認識辞書の編集処理を示すフローチャートである。
ステップＳ１１において、辞書更新部８０は、現在の動作モードにおける辞書データの読み仮名を変更するための編集入力を受け付ける。
【００４９】
ステップＳ１２において、辞書更新部８０は、編集内容が確定されたか否かを判定する。辞書更新部８０は、この判定がＹＥＳの場合、処理をステップＳ１３に移し、判定がＮＯの場合、処理をステップＳ１９に移す。
【００５０】
ステップＳ１３において、辞書更新部８０は、まず、確定された編集内容が編集対象の辞書データ（例えば、かんたん辞書データ７２）において、異なる機能と読み仮名が重複しているか否かを判定する。辞書更新部８０は、この判定がＹＥＳの場合、処理をステップＳ１４に移し、判定がＮＯの場合、処理をステップＳ１５に移す。
【００５１】
ステップＳ１４において、辞書更新部８０は、読み仮名が重複した辞書データを参照する動作モードと、重複した機能とを表示部２１に表示させ、警告報知する。そして、処理は、ステップＳ１１に戻り、編集入力が継続される。
【００５２】
ステップＳ１５において、辞書更新部８０は、同一の辞書データで読み仮名の重複がなかったので、次に、確定された編集内容が編集対象とは異なる辞書データ（例えば、通常辞書データ７１）において、異なる機能と読み仮名が重複しているか否かを判定する。辞書更新部８０は、この判定がＹＥＳの場合、処理をステップＳ１６に移し、判定がＮＯの場合、処理をステップＳ１７に移す。
【００５３】
ステップＳ１６において、辞書更新部８０は、読み仮名が重複している機能が同一であるか否かを判定する。辞書更新部８０は、この判定がＹＥＳの場合、処理をステップＳ１７に移し、判定がＮＯの場合、処理をステップＳ１４に移す。
【００５４】
ステップＳ１７において、辞書更新部８０は、いずれの辞書データにおいても読み仮名の重複がなかったので、確定された編集内容で双方の辞書データを更新する。または、別の場合として、異なる辞書において、同一機能で読み仮名が一致したため、その場合には、辞書更新部８０は、編集された辞書側の辞書データを更新する。
【００５５】
ステップＳ１８において、辞書更新部８０は、ステップＳ１７の更新結果を表示部２１に表示させてユーザに報知する。
【００５６】
ステップＳ１９において、辞書更新部８０は、本処理を終了させるか否かを判定する。具体的には、辞書更新部８０は、ユーザからの終了指示や割り込み処理の発生に応じて、本処理を終了させると判定する。辞書更新部８０は、この判定がＹＥＳの場合、処理を終了させ、判定がＮＯの場合、処理をステップＳ１１に移して編集入力を継続させる。
【００５７】
以上のように、本実施形態によれば、携帯電話機１は、音声認識時に、通常モード及びかんたんモードのそれぞれに対して、各動作モードにおいて起動可能な機能群と読み仮名とが対応付けられた別々の辞書データを参照する。よって、各動作モードにおいて辞書データを最小化できるので、携帯電話機１は、複数の動作モードのいずれかに設定可能な場合に、各動作モードにおいて音声認識による操作性を向上させる。
【００５８】
また、携帯電話機１は、読み仮名を変更するための編集入力を受け付けて、辞書データを更新できるので、ユーザの利便性を向上できる。さらに、このとき、携帯電話機１は、変更された読み仮名と同一の読み仮名が存在する場合には更新を行わないので、読み仮名が同一の辞書データ内で重複しないように制御できる。
【００５９】
また、携帯電話機１は、一方の辞書データの読み仮名が更新された場合、所定のタイミングで、他方の辞書データの読み仮名を一方の辞書データと同じく更新する。しがたって、携帯電話機１は、複数の音声認識辞書を自動的に同期させられるので、ユーザは、携帯電話機１がいずれの動作モードに設定されている場合にも、同様の発声により、同一機能を起動できる。
【００６０】
さらに、携帯電話機１は、この同期のタイミングを、動作モードが変更されたとき、あるいは動作モードが変更されて音声認識機能が起動されたときとすることにより、辞書データの更新処理を、編集入力時から分散させ、処理負荷を低減できる。
【００６１】
また、携帯電話機１は、変更された読み仮名が他方の辞書データと重複する場合、重複した辞書データの種類、すなわち動作モードと、重複した機能とを表示する。したがって、携帯電話機１は、複数の音声認識辞書間においても読み仮名の重複を抑制すると共に、重複の内容をユーザへ詳細に報知できる。
【００６２】
以上、本発明の実施形態について説明したが、本発明は前述した実施形態に限るものではない。また、本発明の実施形態に記載された効果は、本発明から生じる最も好適な効果を列挙したに過ぎず、本発明による効果は、本発明の実施形態に記載されたものに限定されるものではない。
【００６３】
また、前述の実施形態において、電子機器として携帯電話機１について説明しているが、電子機器はこれに限定されず、本発明は、ＰＨＳ（登録商標；Ｐｅｒｓｏｎａｌ  Ｈａｎｄｙ  ｐｈｏｎｅ  Ｓｙｓｔｅｍ）、ＰＤＡ（Ｐｅｒｓｏｎａｌ  Ｄｉｇｉｔａｌ  Ａｓｓｉｓｔａｎｔ）、ゲーム機、ナビゲーション装置、パーソナルコンピュータ等、様々な機器に適用可能である。
【符号の説明】
【００６４】
１  携帯電話機（電子機器）
１１  操作部
２１  表示部
３０  制御部
４０  通信部
４１  アンテナ
５０  モード判定部（判定部）
６０  音声認識部
７０  記憶部
７１  通常辞書データ（第１の音声認識辞書）
７２  かんたん辞書データ（第２の音声認識辞書）
８０  辞書更新部
【図１】
0005563422.tif 000002
【図２】
0005563422.tif 000003
【図３】
0005563422.tif 000004
【図４】
0005563422.tif 000005
【図５】
0005563422.tif 000006
【図６】
0005563422.tif 000007
【図７】
0005563422.tif 000008